(57)【要約】【課題】紙詰まりの発生を抑制することができるシート処理装置を提供する。【解決手段】シート処理装置１００は、搬送されたシートに所定のシート処理を実行する。シート処理装置１００は、積載部１０と、規制部１７と、情報取得部２２と、検知部２０と、制御部２４とを備える。積載部１０は、シート処理を実行すべきシートを積載可能である。規制部１７は、シートの幅方向にスライド可能である。規制部１７は、積載部１０に積載されたシートの端縁に当接してシートの端縁を規制する。情報取得部２２は、ユーザーによって指定された指定シートサイズを取得する。検知部２０は、シートの端縁を検知する。制御部２４は、指定シートサイズと検知部３１が検知した結果に基づき、シート処理を実行するか否かを決定する。【選択図】図１
2015224096.tif 000002
【特許請求の範囲】
【請求項１】
搬送されたシートに所定のシート処理を実行するシート処理装置であって、
前記シート処理を実行すべき前記シートを積載可能な積載部と、
前記シートの幅方向にスライド可能であり、前記積載部に積載された前記シートの端縁に当接して前記シートの端縁を規制する規制部と、
ユーザーによって指定された指定シートサイズを取得する情報取得部と、
前記シートの端縁を検知する検知部と、
前記指定シートサイズと前記検知部が検知した結果に基づき、前記シート処理を実行するか否かを決定する制御部と
を備える、シート処理装置。
【請求項２】
前記制御部は、前記指定シートサイズに対応する想定検知時間を算出し、前記検知部が検知した結果が、前記想定検知時間内か否かによって、前記処理を実行するか否かを決定する、請求項１に記載のシート処理装置。
【請求項３】
前記検知部は、前記シートの搬送方向に沿った長さを検知する、請求項１または請求項２に記載のシート処理装置。
【請求項４】
前記検知部は、前記シートの前端が到達してから後端が通過するまでの時間に基づいて前記シートの搬送方向に沿った長さを検知する、請求項３に記載のシート処理装置。
【請求項５】
前記検知部は、前記シートの幅を検知する、請求項１から請求項４のいずれか１項に記載のシート処理装置。
【請求項６】
前記シートにパンチ処理を実行するパンチユニットをさらに備え、
前記検知部は前記パンチユニットに設けられ、
前記検知部の規定位置から前記検知部が移動を開始してから前記シートの幅方向の端縁を検知するまでの時間に基づいて前記シートの幅を検知する、請求項５に記載のシート処理装置。
【請求項７】
請求項１から請求項６のいずれか１項に記載のシート処理装置と、
前記シートに画像を形成する画像形成部と
を備える、画像形成装置。
【請求項８】
前記シート処理装置において、前記指定シートサイズと前記検知部が検知した結果とが異なる場合、前記制御部は不一致信号を出力し、
前記画像形成部は、前記不一致信号が入力された場合に不一致を表す画面を表示する表示部を有する、請求項７に記載の画像形成装置。
【発明の詳細な説明】
【技術分野】
【０００１】
本発明は、シート処理装置および画像形成装置に関する。
【背景技術】
【０００２】
ステープル処理、パンチ穴を開けるパンチ処理等を実行可能なシート処理装置が知られている。ステープル処理において、複写機、プリンターおよびファクシミリなどの画像形成装置により画像が形成された用紙を複数枚スタックして、スタックされたシート束をまとめてステーブルで綴じる。
【０００３】
一般的に後処理装置（シート処理装置）は、スタックしたシートの幅方向の端部を規制するために、幅合わせ部材（ジョガーフェンス）が設けられる（例えば、特許文献１）。ジョガーフェンスは、画像形成装置から通知されてくるシートサイズに応じた所定の位置に待機する。
【先行技術文献】
【特許文献】
【０００４】
【特許文献１】特開平２−２７６６９２号公報
【発明の概要】
【発明が解決しようとする課題】
【０００５】
しかしながら、特許文献１に記載の後処理装置は、画像形成装置から通知されてくるシートサイズと異なり幅が大きい用紙サイズのシートが搬送されて来た場合、シートとジョガーフェンスが衝突し、紙詰まりを起こす可能性があった。
【０００６】
本発明は上記課題に鑑みてなされたものであり、その目的は紙詰まりの発生を抑制することができるシート処理装置および画像形成装置を提供することにある。
【課題を解決するための手段】
【０００７】
本発明に係るシート処理装置は、搬送されたシートに所定のシート処理を実行する。前記シート処理装置は、積載部と、規制部と、情報取得部と、検知部と、制御部とを備える。前記積載部は、前記シート処理を実行すべき前記シートを積載可能である。前記規制部は、前記シートの幅方向にスライド可能である。前記規制部は、前記積載部に積載された前記シートの端縁に当接して前記シートの端縁を規制する。前記情報取得部は、ユーザーによって指定された指定シートサイズを取得する。前記検知部は、前記シートの端縁を検知する。前記制御部は、前記指定シートサイズと前記検知部が検知した結果に基づき、前記シート処理を実行するか否かを決定する。
【０００８】
本発明に係る画像形成装置は、上記に記載のシート処理装置と、画像形成部とを備える。前記画像形成部は、前記シートに画像を形成する。
【発明の効果】
【０００９】
本発明に係るシート処理装置は、紙詰まりの発生を抑制することができる。
【図面の簡単な説明】
【００１０】
【図１】本発明の実施形態１に係るシート処理装置の側面図である。
【図２】本発明の実施形態１に係るシート処理装置の積載部および規制部の斜視図である。
【図３】本発明に係るシート処理装置の実施形態１のシート処理方法を示すフローチャートである。
【図４】本発明の実施形態２に係るシート処理装置の側面図である。
【図５】本発明に係るシート処理装置の実施形態２のシート処理方法を示すフローチャートである。
【図６】本発明の実施形態３に係る画像形成装置の側面図である。
【図７】本発明に係る画像形成装置の実施形態３のシート処理方法を示すフローチャートである。
【発明を実施するための形態】
【００１１】
以下、本発明の実施形態について、図面を参照しながら説明する。なお、図中、同一または相当部分については同一の参照符号を付して説明を繰り返さない。
【００１２】
［実施形態１］
図１を参照して本発明に係るシート処理装置１００の実施形態１を説明する。図１は、本発明の実施形態１に係るシート処理装置１００の側面図である。図２は、本発明の実施形態１に係るシート処理装置１００の積載部１０および規制部１７の斜視図である。
【００１３】
シート処理装置１００は、積載部１０、規制部１７、ステープル部２、検知部２０、情報取得部２２および制御部２４を備える。シート処理装置１００は、例えば、画像形成部によって画像形成されたシートＳに所定の処理を実行する。所定の処理は、例えば、ステープル処理、パンチ処理またはシート折り処理である。
【００１４】
画像形成部からシート処理装置１００にむけて排出されたシートＳは、シート処理装置１００の側面に設けられた搬入口３を通ってシート処理装置１００内に搬入される。搬入口３の下流には、シートＳを搬送する搬送ローラー対４と、シートＳの搬送先にあわせて回動する案内爪５が設けられる。シート処理の一例としてのステープル処理を行う場合、案内爪５は、シートＳを下方の積載部１０に送り込むように回動する。その結果、シートＳは、積載部１０に向けて搬送される。一方、ステープル処理を行なわない場合、案内爪５は、シートＳを上方の排出ローラー対６に送り込むように回動する。その結果、シートＳは、排出ローラー対６によって排出トレイ７に排出される。
【００１５】
積載部１０は、カバートレイ１１およびストックトレイ１２を有する。積載部１０に搬送されてきたシートＳは、カバートレイ１１とストックトレイ１２との間に通され、ストックトレイ１２の上面に積み重ねられてストックされる。カバートレイ１１は、積載部１０に積み重ねられるシートＳを上方から押さえるカバーとして機能する。ストックトレイ１２の下方に隣接してステープル部２が設けられる。ステープル部２は、積載部１０に積載されたシート束の先端の１箇所または２箇所を綴じるステープル処理を行う。
【００１６】
情報取得部２２は、ユーザーによって指定された指定シートサイズを取得する。指定シートサイズは、シート処理装置１００または画像形成部の操作部をユーザーが操作することによって決定される。指定シートサイズは、例えば、「Ａ４縦」、「Ａ４横」または「Ｂ４縦」である。指定シートサイズは処理を実行すべきシートのサイズと向きとを示す。
【００１７】
検知部２０は、シートＳの端縁を検知する。検知部２０は、本実施形態では、搬入口３の近傍に設けられた搬入スイッチである。検知部２０は、シートＳの有無によってＯＮとＯＦＦとが切り替えられる。具体的には、検知部２０は、シートＳの前端が到達するとＯＮに切り替わり、シートＳの後端が通過するとＯＦＦに切り替えられる。検知部２０は、シートＳの搬送方向に沿った長さを検知する。検知部２０は、例えば、シートＳの前端が到達（ＯＮ）してから、シートＳの後端が通過（ＯＦＦ）するまでの時間に基づいて、シートＳの長さを検知する。
【００１８】
制御部２４は、搬送ローラー対４、案内爪５、排出ローラー対６および排出ローラー対９を制御することによって、シートＳの搬送を制御する。また、制御部２４は、規制部１７の位置を制御する。情報取得部２２が取得した指定シートサイズに対応して、指定シートサイズの幅よりも広いホームポジションで予め待機するように、制御部２４は、規制部１７の位置を制御する。仮に指定シートサイズよりも搬送されてきたシート幅が広い場合であっても、シートＳが規制部１７と衝突しないように処理を実行するか否かを決定する。制御部２４は、指定シートサイズと検知部２０が検知した結果とに基づき、処理を実行するか否かを決定する。
【００１９】
制御部２４は、指定シートサイズに対応する想定検知時間を算出することが好ましい。想定検知時間は、検知部２０がシート端縁を検知する間の時間を示す。例えば、本実施形態では、想定検知時間は、シートＳの前端が到達（ＯＮ）してから、シートＳの後端が通過（ＯＦＦ）するまでの時間で示される。想定検知時間は、前後の幅をもって設定されることが好ましい。
【００２０】
制御部２４は、検知部２０によって検知された結果が想定検知時間内であるか否かを判定することによって、処理を実行するか否かを決定する。検知部２０によって検知された結果が想定検知時間内でない場合、指定シートサイズと異なるサイズが搬送された可能性があるため、処理を実行しないように制御部２４は決定する。その結果、制御部２４は、シートＳが排出ローラー対６に搬送されるように案内爪５を制御し、シートＳは排出ローラー対６によって排出トレイ７に排出される。一方、検知部２０によって検知された結果が想定検知時間内である場合、処理を実行するように制御部２４は決定する。その結果、制御部２４は、シートＳが積載部１０に搬送されるように案内爪５を制御し、その後ステープル部２でシートＳに対してステープル処理が実行される。
【００２１】
図２を参照して積載部１０および規制部１７の詳細について説明する。積載部１０は、ストッパー１３、無端ベルト１４、プーリー１５ａ、回転軸１５ｂおよびモーター１６をさらに含む。積載部１０に送られてきたシートは、断面が略コの字状のストッパー１３によりストックトレイ１２の表面で受け止められる。ストッパー１３は、ストックトレイ１２の幅方向の略中央に配置された無端ベルト１４に取り付けられている。無端ベルト１４は、プーリー１５ａと回転軸１５ｂとの間に掛け渡されており、回転軸１５ｂを回転駆動するモーター１６によって無端ベルト１４が正逆回転される。ストッパー１３は、処理すべきシートのサイズに対応して、シートの上端が一定位置でストックされるように制御される。なお、規制部１７を用いるシート処理には、上記のステープル処理の他、ソート処理等がある。
【００２２】
規制部１７は、シートの幅方向にスライド可能である。規制部１７は、積載部１０に積載されたシートの端縁に当接してシートの端縁を規制する。規制部１７は、例えば、ジョガーフェンスである。規制部１７は、例えば、ラックアンドピニオン機構によって、シートの搬送方向と直交するシートの幅方向にスライド可能である。シートが積載部１０に到達すると、一対の規制部１７はシートの幅方向へ互いに近づくようにスライドし、積載部１０に積載されたシートの幅方向の端縁を規制する。具体的には、一対の規制部１７は、互いの間隔がシートの幅よりも広いホームポジションでシートが搬送される前に予め待機する。そして、一対の規制部１７はシートが積載部１０に送られてくると、互いが近づく方向にスライドする。規制部１７の移動は、互いの間隔がシートの幅になるまで行われ、シートの端に当接して、シートを揃えた後、ホームポジションに戻る。
【００２３】
このようにシートの端縁が規制されることによって、シートは、積載部１０にストックされる。ステープル処理を行う場合には、ストッパー１３を上下動させ、シートのサイズに合わせ、ストックされたシートを適切な位置に移動させる。ステープル処置を実行する際、シートを下方に搬送する方向に無端ベルト１４が回転され、シートの下端がステープル部２に到達するようにストッパー１３を下方に移動させる。ステープル部２によってステープル処理が完了すると、無端ベルト１４がシートを上方に搬送する方向に回転され、ストッパー１３がシートを上方に押し上げる。これにより、シートは、排出ローラー対９によって排出トレイ８に排出される。
【００２４】
図１〜図３を参照して本発明に係るシート処理装置１００の実施形態１のシート処理方法を説明する。図３は、本発明に係るシート処理装置１００の実施形態１のシート処理方法を示すフローチャートである。
【００２５】
ステップＳ１００：情報取得部２２は、ユーザーによって指定された指定シートサイズを取得する。指定シートサイズは、例えば、「Ａ４縦」、「Ａ４横」または「Ｂ４縦」である。指定シートサイズは処理を実行すべきシートＳのサイズと向きとを示す。シート処理方法は、ステップＳ１０２に進む。
【００２６】
ステップＳ１０２：制御部２４は、指定シートサイズに対応する想定検知時間を算出する。例えば、シート搬入スイッチ２０がＯＮからＯＦＦになるまでの想定検知時間を算出する。シート処理方法は、ステップＳ１０４に進む。
【００２７】
ステップＳ１０４：シートＳの前端がシート搬入スイッチ２０に到達すると、シート搬入スイッチ２０がＯＮに切り替わる。シート処理方法は、ステップＳ１０６に進む。
【００２８】
ステップＳ１０６：シートＳの後端がシート搬入スイッチ２０を通過すると、シート搬入スイッチ２０がＯＦＦに切り替わる。シート処理方法は、ステップＳ１０８に進む。
【００２９】
ステップＳ１０８：制御部２４は、シート後端検知までの時間が想定検知時間内であるか否かを判定する。シート後端検知までの時間が想定検知時間内でない場合（ステップＳ１０８：Ｎｏ）、シート処理方法はステップＳ１１０に進む。シート後端検知までの時間が想定検知時間内である場合（ステップＳ１０８：Ｙｅｓ）、シート処理方法はステップＳ１１２に進む。
【００３０】
ステップＳ１１０：指定シートサイズと搬送されたシートＳのサイズとが異なる可能性があるため、制御部２４は、ステープル処理を実行せず排紙するように案内爪５を制御する。シート処理方法は終了する。
【００３１】
ステップＳ１１２：指定シートサイズと搬送されたシートＳのサイズとが一致するため、制御部２４は、ステープル処理を実行する。シート処理方法は終了する。
【００３２】
以上、図１〜図３を参照して説明したように、シート処理装置１００では、制御部２４は、指定シートサイズと検知部２０が検知した結果とに基づき、処理を実行するか否かを決定する。したがって、指定シートサイズと搬送されたシートのサイズとが異なる可能性がある場合、ステープル処理を行わない。その結果、紙詰まりの発生を抑制することができる。
【００３３】
また、制御部２４は、シートサイズに対応する想定検知時間を算出し、検知部２０が検知した結果が、想定検知時間内か否かによって、ステープル処理を実行するか否かを決定する。したがって、指定シートサイズと異なるサイズのシートＳが搬送されてきたか否かを適切に判定することができ、処理を実行するか否かを判定することができる。その結果、紙詰まりの発生を抑制することができる。
【００３４】
また、シート処理装置１００では、検知部２０は、シートＳの搬送方向に沿った長さを検知することによってシートＳのサイズを検知する。例えば、シートＳの長さが指定シートサイズよりも短い場合、シートＳが縦と横とが逆向きに搬送されてきた可能性があるためステープル処理を行わない。その結果、紙詰まりの発生を抑制することができる。
【００３５】
また、検知部２０は、シートＳの前端が到達してから後端が通過するまでの時間に基づいてシートＳの長さを検知する。したがって、検知部２０としてシート搬入スイッチ２０を使用することができ、部材を別途用意する必要がない。
【００３６】
［実施形態２］
図４を参照して本発明の実施形態２に係るシート処理装置１００を説明する。図４は、本発明の実施形態２に係るシート処理装置１００の側面図である。シート処理装置１００がパンチユニット３０をさらに備える点を除いて、実施形態１に係るシート処理装置１００と同様な構成を有するため、重複部分については説明を省略する。
【００３７】
シート処理装置１００は、パンチユニット３０をさらに備える。パンチユニット３０は、搬送されたシートＳにパンチ処理を実行する。パンチユニット３０は、検知部３１を有する。パンチユニット３０がパンチ処理を行う場合、パンチユニット３０は、ホームポジション（規定位置）からシートＳの幅方向に移動することで、検知部３１によってシート側端縁（幅方向の端縁）を検知する。検知部３１は、ホームポジションからシートＳの側端縁を検知するまでの時間に基づいてシートＳの幅を検知する。また、パンチユニット３０は、検知部３１で検知したシートＳの側端縁に基づいて規定のパンチ位置にパンチ処理を行う。
【００３８】
図４および図５を参照して本発明の実施形態２に係るシート処理装置１００のシート処理方法を説明する。図５は、本発明の実施形態２に係るシート処理装置１００のシート処理方法を示すフローチャートである。図３を参照して説明したフローチャートと重複する部分については説明を省略する。
【００３９】
ステップＳ２００：情報取得部２２は、ユーザーによって指定された指定シートサイズを取得する。シート処理方法はステップＳ２０２に進む。
【００４０】
ステップＳ２０２：制御部２４は、指定シートサイズに対応する想定検知時間を算出する。例えば、パンチユニット３０がホームポジションから移動を開始してからシートＳの幅方向の端縁を検知するまでの想定検知時間を算出する。シート処理方法はステップＳ２０４に進む。
【００４１】
ステップＳ２０４：シートＳの前端がシート搬入スイッチ２０に到達すると、シート搬入スイッチ２０がＯＮに切り替わる。シート処理方法はステップＳ２０６に進む。
【００４２】
ステップＳ２０６：シート搬入スイッチ２０がＯＮに切り替わると、パンチユニット３０がホームポジションから移動を開始する。シート処理方法はステップＳ２０８に進む。
【００４３】
ステップＳ２０８：検知部３１がシート幅方向の端縁を検知する。検知部３１は、ホームポジションからシートＳの側端縁を検知するまでの時間に基づいてシートＳの幅を検知する。シート処理方法はステップＳ２１０に進む。
【００４４】
ステップＳ２１０：シートＳの後端がシート搬入スイッチ２０を通過すると、シート搬入スイッチ２０がＯＦＦに切り替わる。シート処理方法はステップＳ２１２に進む。
【００４５】
ステップＳ２１２：制御部２４は、パンチユニット３０がホームポジションから移動を開始してから検知部３１がシート幅方向の端縁を検知するまでの時間が想定検知時間内であるか否かを判定する。シート幅方向の端縁を検知するまでの時間が想定検知時間内でない場合（ステップＳ２１２：Ｎｏ）、シート処理方法はステップＳ２１４に進む。シート幅方向の端縁を検知するまでの時間が想定検知時間内である場合（ステップＳ２１６：Ｙｅｓ）、シート処理方法はステップＳ２１６に進む。
【００４６】
ステップＳ２１４：指定シートサイズと搬送されたシートＳのサイズとが異なる可能性があるため、制御部２４は、ステープル処理を実行せず排紙するように制御する。シート処理方法は終了する。
【００４７】
ステップＳ２１６：指定シートサイズと搬送されたシートＳのサイズとが一致するため、制御部２４は、ステープル処理を実行する。シート処理方法は終了する。
【００４８】
以上、図４および図５を参照して説明したように、シート処理装置１００では、検知部３１は、シートＳの幅を検知することによってシートＳのサイズを検知する。したがって、指定シートサイズと搬送されたシートＳのサイズとが異なる可能性がある場合、ステープル処理を行わない。その結果、紙詰まりの発生を抑制することができる。
【００４９】
また、検知部３１の規定位置から移動を開始してからシートＳの幅方向の端縁を検知するまでの時間に基づいてシートＳの幅を検知する。したがって、検知部としてパンチユニット３０の検知部３１を使用することができ、部材を別途用意する必要がない。
【００５０】
［実施形態３］
図６を参照して本発明に係る実施形態３の画像形成装置３００を説明する。図６は、本発明の実施形態３に係る画像形成装置３００の側面図である。画像形成装置３００は、シート処理装置１００および画像形成部２００を備える。画像形成部２００は、シートＳに画像を形成し、送出部５１を介して、シートＳをシート処理装置１００の搬入口３へ送出する。
【００５１】
画像形成部２００は、表示部６０を有する。シート処理装置１００において、指定シートサイズと検知部２０が検知した結果を用いて求めたシートサイズとが異なる場合、制御部２４は不一致信号を出力する。不一致信号が入力された場合、表示部６０は不一致を通知する画面を表示する。
【００５２】
図６および図７を参照して本発明に係る実施形態３の画像形成装置３００のシート処理方法を説明する。図７は、本発明に係る実施形態３の画像形成装置３００のシート処理方法を示すフローチャートである。図３を参照して説明したフローチャートと重複する部分については説明を省略する。
【００５３】
本実施形態では、シート処理を実行せずに排紙した場合（ステップＳ３１０）、シートサイズ不一致を通知する（ステップＳ３１４）。具体的には、画像形成部２００の表示部６０が指定シートサイズと搬送されたシートサイズとの不一致を通知する画面を表示する。
【００５４】
以上、図６および図７を参照して説明したように、画像形成装置３００では、表示部６０は、指定シートサイズと搬送されたシートＳのシートサイズとの不一致を表す画面を表示するため、ユーザーは搬送されたシートＳのシートサイズが指定シートサイズとは異なり処理が行われなかったことを知ることができる。
【００５５】
以上、図面（図１〜図７）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００５６】
（１）実施形態１および実施形態２に係るシート処理装置１００は、シート後端検知までの時間が想定検知時間内でない場合、シート処理を実行せずに排紙していたが、本発明はこれに限定されない。例えば、シート後端検知までの時間が想定検知時間内でない場合、規制部１７の待機位置を最大間隔に広げるように変更するようにしてもよい。あるいは、検知部３１で検知したシート幅に合わせて規制部１７の待機位置を変更してもよい。
【００５７】
（２）実施形態１に係るシート処理装置１００ではシートＳの搬送方向に沿った長さ、実施形態２に係るシート処理装置１００ではシートＳの幅に基づいて、制御部２４がシート処理を実行するか否かを決定していたが、制御部２４は、シートの搬送方向に沿った長さおよびシートＳの幅に基づいてシート処理を実行するか否かを決定してよい。
【００５８】
（３）画像形成部２００は、例えば、複写機、プリンター、および／もしくはファクシミリの機能を備えた複合機、または複写機、プリンター、もしくはファクシミリである。
【産業上の利用可能性】
【００５９】
本発明は、シート処理装置および画像形成装置の分野に利用可能である。
【符号の説明】
【００６０】
２          ステープル部
１０        積載部
１７        規制部
２０        検知部
２２        情報取得部
２４        制御部
３０        パンチユニット
３１        検知部
１００      シート処理装置
２００      画像形成部
３００      画像形成装置
Ｓ          シート
【図１】
2015224096.tif 000003
【図２】
2015224096.tif 000004
【図３】
2015224096.tif 000005
【図４】
2015224096.tif 000006
【図５】
2015224096.tif 000007
【図６】
2015224096.tif 000008
【図７】
2015224096.tif 000009